(57)【要約】【課題】除菌・殺菌装置と空調装置と照明装置とは各々独立しており配設されているため、スペースを必要として、結果的に広いスペースが必要と成ると共に、施工性、メンテナンス性が複雑化していた。【解決手段】本発明は、安定化二酸化塩素ガス貯溜装置１と、安定化二酸化塩素ガス貯溜装置に接続させた噴霧ノズル２と、噴霧ノズルを内装させた外気導入用ダクト３と、外気導入用ダクトの外気導入口に設けた導入口用フィルター４と、外気導入用ダクトに内設させた有圧送風機５と、外気導入用ダクトの外気出口に風量調整ダンパー６を設けて接続させた吹出口チャンバー７と、吹出口チャンバーに接続させた空調機８と、吹出口チャンバーに接続させたサニタリーフィルター装置９と、サニタリーフィルター装置の下方にサポート架台１０を介装して取り付けた照明器具１１と、を備えた。【選択図】図１
2005003340.tif 000002
【特許請求の範囲】
【請求項１】
食品、薬品等の工場の上方にサーポート材等により垂設させる室内環境に対する衛生設備であって、安定化二酸化塩素ガスを貯留させた安定化二酸化塩素ガス貯溜装置と、該安定化二酸化塩素ガス貯溜装置に接続させた噴霧ノズルと、該噴霧ノズルを内装させた外気導入用ダクトと、該外気導入用ダクトの外気導入口に設けた導入口用フィルターと、該導入口用フィルターの奥方の前記外気導入用ダクトに内設させた有圧送風機と、前記外気導入用ダクトの外気出口に風量調整ダンパーを設けて接続させた吹出口チャンバーと、該吹出口チャンバーの片側に接続させた空調機と、前記吹出口チャンバーの他側に接続させた空気を室内に放出するサニタリーフィルター装置と、該サニタリーフィルター装置の下方にサポート架台を介装して取り付けた照明器具と、を備えたこと特徴とする除菌・照明・空調機能対応衛生設備。
【発明の詳細な説明】
【０００１】
【産業上の利用分野】
本発明は除菌・照明・空調機能対応衛生設備に関するもので、更に詳細には、食品、薬品等の工場内における室内環境の殺菌・除菌を行なって細菌から守る除菌機能と、照明機能と、空調機能とに対応することを可能とした除菌・照明・空調機能対応衛生設備に関するものである。
【０００２】
【従来技術】
従来、食品、薬品等の工場の室内の除菌、殺菌を行うための除菌・殺菌装置と、工場の室内の換気や温度湿度調整を行う空調装置と、工場の室内の照明を行う照明装置とは別々に設置されており、夫々の装置は夫々有効に利用されており、例えば、多目的体育館や恒温工場などの大空間の空調、換気を行う装置（特許文献１参照）が開示されている。
【０００３】
【特許文献１】
特開平１１−２２３３７９号公報
【０００４】
【発明が解決しようとする課題】
然し乍ら、これらの除菌・殺菌装置と空調装置と照明装置とは各々独立しており配設されているため、夫々のスペースを必要として、結果的に広いスペースが必要と成ると共に、夫々の施工性、メンテナンス性が複雑化しており課題を有していた。
【０００５】
【課題を解決するための手段】
本発明は、前述の課題に鑑み、鋭意研鑽の結果食品、薬品等の工場の上方にサーポート材等により垂設させる室内環境に対する衛生設備であって、安定化二酸化塩素ガスを貯留させた安定化二酸化塩素ガス貯溜装置と、安定化二酸化塩素ガス貯溜装置に接続させた噴霧ノズルと、噴霧ノズルを内装させた外気導入用ダクトと、外気導入用ダクトの外気導入口に設けた導入口用フィルターと、導入口用フィルターの奥方の前記外気導入用ダクトに内設させた有圧送風機と、外気導入用ダクトの外気出口に風量調整ダンパーを設けて接続させた吹出口チャンバーと、吹出口チャンバーの片側に接続させた空調機と、吹出口チャンバーの他側に接続させた空気を室内に放出するサニタリーフィルター装置と、サニタリーフィルター装置の下方にサポート架台を介装して取り付けた照明器具と、を備えたものである。
【０００６】
【発明の作用】
本発明の除菌・照明・空調機能対応衛生設備は、安定化二酸化塩素ガスを貯留させた安定化二酸化塩素ガス貯溜装置と接続させた噴霧ノズルと有圧送風機とを外気導入用ダクトに内装し、該外気導入用ダクトに吹出口チャンバーを介装して接続させたサニタリーフィルター装置より、室内に安定化二酸化塩素ガスを噴霧させ殺菌・除菌を図ると共に、吹出口チャンバーに接続させた空調機によって、温度調整、湿度調整、換気を図り、更に、サニタリーフィルター装置の下方にサポート架台を介装して取り付けた照明器具によって、照明を図るものであり、室内における設置スペースを少なくすることを可能としたものである。
【０００７】
従って、本発明の目的は、食品、薬品等の工場の上方にサーポート材等により施工するもので、除菌装置と照明装置と空調装置をコンパクトに纏めて小スペース化を図った除菌・照明・空調機能対応衛生設備を提供するものである。
【０００８】
【発明の実施の形態】
以下、本発明の除菌・照明・空調機能対応衛生設備の実施の形態の図面によって具体的に説明する。
【０００９】
図１は本発明の除菌・照明・空調機能対応衛生設備の実施の形態を説明するための斜視説明図であり、図２は本発明の除菌・照明・空調機能対応衛生設備の実施の形態を説明するための側面説明図であり、図３は本発明の除菌・照明・空調機能対応衛生設備の実施の形態を説明するための平面説明図である。
【００１０】
本発明は除菌・照明・空調機能対応衛生設備に関するもので、更に詳細には、食品、薬品等の工場内における室内環境の殺菌・除菌を行なって細菌から守る除菌機能と、照明機能と、空調機能とに対応することを可能とした除菌・照明・空調機能対応衛生設備に関するものであり、食品、薬品等の工場の上方にサーポート材Ｓ等により垂設させる室内環境に対する衛生設備であって、安定化二酸化塩素ガスを貯留させた安定化二酸化塩素ガス貯溜装置１と、該安定化二酸化塩素ガス貯溜装置１に接続させた噴霧ノズル２と、該噴霧ノズル２を内装させた外気導入用ダクト３と、該外気導入用ダクト３の外気導入口に設けた導入口用フィルター４と、該導入口用フィルター４の奥方の前記外気導入用ダクト３に内設させた有圧送風機５と、前記外気導入用ダクト３の外気出口に風量調整ダンパー６を設けて接続させた吹出口チャンバー７と、該吹出口チャンバー７の片側に接続させた空調機８と、前記吹出口チャンバー７の他側に接続させた空気を室内に放出するサニタリーフィルター装置９と、該サニタリーフィルター装置９の下方にサポート架台１０を介装して取り付けた照明器具１１と、を備えたものである。
【００１１】
即ち、本発明は食品工場や薬品工場等の衛生を保たなければならない室内の環境に対する衛生設備であり、安定化二酸化塩素ガスはトリハロメタンの発生が少ないことや、発癌性がないことから使い方を間違わなければ比較的安全な液状のもので、除菌・抗菌・殺菌・消臭作用等を備え汎用されているものである。
【００１２】
そして、安定化二酸化塩素ガス貯溜装置１は安定化二酸化塩素ガスを液状のまま貯留させており、ノズル用接続管を介して後述する噴霧ノズル２と接続しているものである。
【００１３】
次に、噴霧ノズル２は前記安定化二酸化塩素ガス貯溜装置１に貯留させた安定化二酸化塩素ガスを後述する外気導入用ダクト３に噴霧するものであり、安定化二酸化塩素ガス貯溜装置１から延設されたノズル用接続管の先端に設けているものである。
【００１４】
次いで、外気導入用ダクト３は中空筒状のもので前記噴霧ノズル２を内装させると共に、先端の外気導入口は室外に配管して外気を導入するものであり、基端の外気出口には外気の導入する風流を調整するための風量調整ダンパー６を設けて後述する吹出口チャンバー７に接続させているものである。
【００１５】
更に、導入口用フィルター４は前記外気導入用ダクト３の先端の外気導入口に設けており、外気の導入と共に混入してくる塵、埃や、雑菌、ウィルス、カビ等の微生物の流入を防ぐものである。
【００１６】
更には、有圧送風機５は実施の形態では外気導入用ダクト３の導入口用フィルター４と噴霧ノズル２との間に内設させているもので、噴霧ノズル２から噴霧される安定化二酸化塩素ガスを導入口用フィルター４で濾過した外気と共に室内に導入するものである。
【００１７】
そして、吹出口チャンバー７は図示する実施の形態では外気導入用ダクト３の外気出口に風量調整ダンパー６を設けて側面に接続させると共に、背面に後述する空調機８と正面には後述するサニタリーフィルター装置９を配設しているものであり、風量調整ダンパー６は安定化二酸化塩素ガスの室内への導入量及び室内陽圧維持に対する調整を行うものである。
【００１８】
更に、空調機８は汎用されているものであり、吹出口チャンバー７に接続させており、吹出口チャンバー７に外気導入用ダクト３から導入され貯留するフレッシュエアの温度、湿度を調整するものであり、電源は独立してＯＮ．ＯＦＦできるもので不要の場合電源を切っているものである。
【００１９】
更には、サニタリーフィルター装置９は吹出口チャンバー７に接続させているものであるが、前記空調機８の反対側に単数又は複数接続させているものであり、吹出口チャンバー７に導入され、空調機８で調整されたフレッシュエアを更に防塵して室内に放出するものである。
【００２０】
そして、照明器具１１は汎用の蛍光灯等で良く、サニタリーフィルター装置９の下方に鋼製、ＳＵＳ製、ＦＲＰ製等で形成したサポート架台１０を介装して取り付けているもので、照明器具１１の電源は独立してＯＮ．ＯＦＦできるものである。
【００２１】
つまり、本発明の除菌・照明・空調機能対応衛生設備の安定化二酸化塩素ガス貯溜装置１や、外気導入用ダクト３、吹出口チャンバー７、空調機８、サニタリーフィルター装置９等は工場の室内の天井からサポート材Ｓにより垂設させているものである。
【００２２】
更に、外気導入用ダクト３に安定化二酸化塩素の噴霧ノズル２を内装させたことによって、安定化二酸化塩素ガスを外気（フレッシュエアー）に混和させ、有圧送風機５を作動させ、サニタリーフィルター装置９を通過して、室内に外気と共に安定化二酸化塩素を供給すると同時に空調機８による冷房、暖房運転を可能にしたものである。
【００２３】
そして、冷房・暖房の空調が不要な場合は、空調機８の電源を切り、外気導入用ダクト３に設けた有圧送風機５を作動させ外気を導入口用フィルター４で濾過して導入し、安定化二酸化塩素ガスを混和させてサニタリーフィルター装置９から室内に供給させるものである。
【００２４】
次いで、本発明の除菌・照明・空調機能対応衛生設備の運転は、工場の稼働時、つまり、有人状態では作業者への影響を考慮して照明機能、空調機能は使用するものの殺菌・除菌機能は作動させないものであり、工場の未稼動時、つまり、無人状態では、タイマー運転にて安定化二酸化塩素ガス貯溜装置１を作動させ、吹出口チャンバー７に接続させた外気導入用ダクト３に内設した噴霧ノズル２から安定化二酸化塩素ガスを噴霧させると共に、外気導入用ダクト３に内設した有圧送風機５を作動させて気流を室内に供給することで、外気導入用ダクト３の内部や吹出口チャンバー７、空調機８、及び、室内の雑菌は、安定化二酸化塩素ガスを含む外気が通過する時点で除菌・殺菌されるものである。
【００２５】
更に、照明器具１１は、サニタリーフィルター装置９に取り付け用に設けたサポート架台１０を利用し、照明器具１１の取り付けを行うものであり、この為、照明器具１１はサニタリーフィルター装置９の下部に位置することとなり、省スペース及びサポート材Ｓの省資化を図ることを可能とするものである。
【００２６】
更には、安定化二酸化塩素ガス貯溜装置１の起動には、安定化二酸化塩素ガス貯溜装置１の電源を別途に設けて便用するもので、安定化二酸化塩素ガス貯溜装置１の起動条件は、有圧送風機５の作動後、タイマーにより数分後に起動させることが良好なものであり、又、外気導入用ダクト３に設けた有圧送風機５の気流により室内へ安定化二酸化塩素ガスを導入する為、インターロックを取り、噴霧ノズル２から安定化二酸化塩素ガスが噴霧している間は、常に有圧送風機５が作動しているようにするものである。
【００２７】
【発明の効果】
本発明の除菌・照明・空調機能対応衛生設備は、上述のように構成したより、安定化二酸化塩素ガスを貯留させた安定化二酸化塩素ガス貯溜装置と接続させた噴霧ノズルと有圧送風機とを外気導入用ダクトに内装し、該外気導入用ダクトに吹出口チャンバーを介装して接続させたサニタリーフィルター装置より、室内に安定化二酸化塩素ガスを噴霧させることによりカビ、細菌（一般生菌、大腸菌群等）、ウィルス等の微生物を減らす共に、吹出口チャンバーに接続させた空調機によって、温度調整、湿度調整、換気を図り、更に、サニタリーフィルター装置の下方にサポート架台を介装して取り付けた照明器具によって、照明を図るものであり、室内における設置スペースを少なくすることを可能としたものであり、顕著な効果が得られ画期的で実用性の高い発明である。
【図面の簡単な説明】
【図１】図１は本発明の除菌・照明・空調機能対応衛生設備の実施の形態を説明するための斜視説明図である。
【図２】図２は本発明の除菌・照明・空調機能対応衛生設備の実施の形態を説明するための側面説明図である。
【図３】図３は本発明の除菌・照明・空調機能対応衛生設備の実施の形態を説明するための平面説明図である。
【符号の説明】
Ｓ      サポート材
１      安定化二酸化塩素ガス貯溜装置
２      噴霧ノズル
３      外気導入用ダクト
４      導入口用フィルター
５      有圧送風機
６      風量調整ダンパー
７      吹出口チャンバー
８      空調機
９      サニタリーフィルター装置
１０    サポート架台
１１    照明器具
【図１】
2005003340.tif 000003
【図２】
2005003340.tif 000004
【図３】
2005003340.tif 000005